(57)【要約】【課題】キーボードといった入力部が操作部筐体といった裏側の筐体の前面に配置されてその前面の面積が限られていても、別の入力部を電子機器に設けることができるようにし、更にその別の入力部を保護できるようにする。【解決手段】操作部筐体２の前面に操作部１０が設けられ、表示部筐体４の前面に表示部１１が設けられ、スライド筐体１２の前面１２ａにキーボード１９が設けられている。操作部筐体２と表示部筐体４は二軸ヒンジ３によって連結されている。操作部筐体２の背面とスライド筐体１２の前面１２ａが相対向した状態で操作部筐体２とスライド筐体１２が連結され、スライド筐体１２が横方向にスライド可能とされている。操作部筐体２の背面には方向入力装置２０が設けられている。【選択図】図３
2008269061.tif 000002
【特許請求の範囲】
【請求項１】
第一の筐体と、
その前面が前記第一の筐体の背面に相対する状態で前記第一の筐体に連結され、前記第一の筐体の背面に平行な方向に前記第一の筐体に対してスライドする第二の筐体と、
前記第一の筐体の背面に設けられた第一の入力部と、
前記第二の筐体の前面に設けられた第二の入力部と、を備え、
前記第二の筐体は、前記第一の入力部が前記第二の筐体によって被覆されるとともに前記第二の入力部が前記第一の筐体によって被覆された状態と、前記第二の筐体による前記第一の入力部の被覆が外れるとともに前記第一の筐体による前記第二の入力部の被覆が外れた状態との間で、前記第一の筐体に対してスライドすることを特徴とする電子機器。
【請求項２】
第一の筐体と、
その前面が前記第一の筐体の背面に相対する状態で前記第一の筐体に連結され、前記第一の筐体の背面に平行な方向に前記第一の筐体に対してスライドする第二の筐体と、
前記第一の筐体の前面に設けられた表示部と、
前記第一の筐体の背面に設けられた第一の入力部と、を備え、
前記第二の筐体は、前記第一の入力部が前記第二の筐体によって被覆された状態と、前記第二の筐体による前記第一の入力部の被覆が外れた状態との間で、前記第一の筐体に対してスライドすることを特徴とする電子機器。
【請求項３】
前記第二の筐体の前面に設けられた第二の入力部を更に備え、
前記第二の筐体は、前記第一の入力部が前記第二の筐体によって被覆されるとともに前記第二の入力部が前記第一の筐体によって被覆された状態と、前記第二の筐体による前記第一の入力部の被覆が外れるとともに前記第一の筐体による前記第二の入力部の被覆が外れた状態との間で、前記第一の筐体に対してスライドすることを特徴とする請求項２に記載の電子機器。
【請求項４】
前記第二の筐体のスライド範囲は、前記第一の筐体の全体が前記第二の筐体に重なった状態から前記第一の筐体が部分的に前記第二の筐体に重なった状態までとされ、
前記第一の入力部は、前記第一の筐体の背面のうち、前記第一の筐体が部分的に前記第二の筐体に重なった状態で露出した部分に設けられていることを特徴とする請求項１から３の何れか一項に記載の電子機器。
【請求項５】
前記第一の筐体の背面に平行な縦方向の前記第一の筐体の長さがその背面に平行な方向であって縦方向に垂直な横方向の前記第一の筐体の長さよりも長く、前記第二の筐体が横方向にスライドすることを特徴とする請求項１から４の何れか一項に記載の電子機器。
【請求項６】
第三の筐体と、
前記第一の筐体と前記第三の筐体を連結するともに、前記第一の筐体に対して前記第三の筐体を開閉させるとともに前記第三の筐体の表裏を反転させる二軸ヒンジと、
前記第三の筐体の前面に設けられた表示部と、を更に備えることを特徴とする請求項１から５の何れか一項に記載の電子機器。
【請求項７】
第三の筐体と、
前記第一の筐体と前記第三の筐体を連結するともに、前記第一の筐体に対して前記第三の筐体を開閉させるとともに前記第三の筐体の表裏を反転させる二軸ヒンジと、
前記第三の筐体の前面に設けられた表示部と、
前記二軸ヒンジによる前記第一の筐体と前記第二の筐体との状態を検出するセンサと、
前記センサの検出結果に基づき前記第二の入力部から入力される信号による制御機能を切り替える機能を有する制御部と、を更に備えることを特徴とする請求項１又は３に記載の電子機器。
【請求項８】
前記第一の筐体の前面に設けられた操作部を更に備えることを特徴とする請求項１から７の何れか一項に記載の電子機器。
【発明の詳細な説明】
【技術分野】
【０００１】
本発明は、電子機器に関し、特にスライド型の電子機器に関する。
【背景技術】
【０００２】
近年、携帯電話機に代表されるように無線通信可能な携帯電子機器が広く普及している。携帯電子機器の形態として、いわゆるストレート型、折り畳み型、スライド型というものがある。折り畳み型の携帯電子機器は、表示画面が設けられた表示部筐体と、複数のキーが設けられた操作部筐体とをヒンジによって連結したものである。スライド型の携帯電子機器は、表示部筐体と操作部筐体をスライド機構を介して連結し、操作部筐体のキーが表示部筐体のスライドにより隠れたり現れたりするものである（例えば、特許文献１参照）。ストレート型の携帯電子機器は、筐体が１つのものである（例えば、特許文献２参照）。
【０００３】
また、携帯電子機器の表示部に表示されたカーソル、ポインタ等を移動させるために、ポインティングデバイスが携帯電子機器に設けられている。ポインティングデバイスとしては、いわゆるタッチパッド、ジョイスティック、十字キー、トラックボールというものがあり、特許文献２に記載のストレート型の携帯電子機器では、筐体の背面側にタッチパッドが設けられている。
【特許文献１】特開２００６−１７８９２４号公報
【特許文献２】特開２００２―３１８６４０号公報
【発明の開示】
【発明が解決しようとする課題】
【０００４】
ところで、スライド型の携帯電子機器においては、操作部筐体の前面の面積が限られているため、操作部筐体の前面に複数のキーの他にポインティングデバイスを設けることは困難である。
また、ストレート型の携帯電子機器においては、タッチパッドを使用しない状態であってもそのタッチパッドが露出してしまい、タッチパッドが保護されない問題がある。
【０００５】
そこで、本発明は、スライド型の電子機器において、キーボードといった入力部が操作部筐体といった裏側の筐体の前面に配置されてその前面の面積が限られていても、別の入力部を電子機器に設けることができるようにし、更にその別の入力部を保護できるようにすることを課題とする。
【課題を解決するための手段】
【０００６】
請求項１に係る発明によれば、
第一の筐体と、
その前面が前記第一の筐体の背面に相対する状態で前記第一の筐体に連結され、前記第一の筐体の背面に平行な方向に前記第一の筐体に対してスライドする第二の筐体と、
前記第一の筐体の背面に設けられた第一の入力部と、
前記第二の筐体の前面に設けられた第二の入力部と、を備え、
前記第二の筐体は、前記第一の入力部が前記第二の筐体によって被覆されるとともに前記第二の入力部が前記第一の筐体によって被覆された状態と、前記第二の筐体による前記第一の入力部の被覆が外れるとともに前記第一の筐体による前記第二の入力部の被覆が外れた状態との間で、前記第一の筐体に対してスライドすることを特徴とする電子機器が提供される。
【０００７】
請求項２に係る発明によれば、
第一の筐体と、
その前面が前記第一の筐体の背面に相対する状態で前記第一の筐体に連結され、前記第一の筐体の背面に平行な方向に前記第一の筐体に対してスライドする第二の筐体と、
前記第一の筐体の前面に設けられた表示部と、
前記第一の筐体の背面に設けられた第一の入力部と、を備え、
前記第二の筐体は、前記第一の入力部が前記第二の筐体によって被覆された状態と、前記第二の筐体による前記第一の入力部の被覆が外れた状態との間で、前記第一の筐体に対してスライドすることを特徴とする電子機器が提供される。
【０００８】
請求項３に係る発明によれば、
前記第二の筐体の前面に設けられた第二の入力部を更に備え、
前記第二の筐体は、前記第一の入力部が前記第二の筐体によって被覆されるとともに前記第二の入力部が前記第一の筐体によって被覆された状態と、前記第二の筐体による前記第一の入力部の被覆が外れるとともに前記第一の筐体による前記第二の入力部の被覆が外れた状態との間で、前記第一の筐体に対してスライドすることを特徴とする請求項２に記載の電子機器が提供される。
【０００９】
請求項４に係る発明によれば、
前記第二の筐体のスライド範囲は、前記第一の筐体の全体が前記第二の筐体に重なった状態から前記第一の筐体が部分的に前記第二の筐体に重なった状態までとされ、
前記第一の入力部は、前記第一の筐体の背面のうち、前記第一の筐体が部分的に前記第二の筐体に重なった状態で露出した部分に設けられていることを特徴とする請求項１から３の何れか一項に記載の電子機器が提供される。
【００１０】
請求項５に係る発明によれば、
前記第一の筐体の背面に平行な縦方向の前記第一の筐体の長さがその背面に平行な方向であって縦方向に垂直な横方向の前記第一の筐体の長さよりも長く、前記第二の筐体が横方向にスライドすることを特徴とする請求項１から４の何れか一項に記載の電子機器が提供される。
【００１１】
請求項６に係る発明によれば、
第三の筐体と、
前記第一の筐体と前記第三の筐体を連結するともに、前記第一の筐体に対して前記第三の筐体を開閉させるとともに前記第三の筐体の表裏を反転させる二軸ヒンジと、
前記第三の筐体の前面に設けられた表示部と、を更に備えることを特徴とする請求項１から５の何れか一項に記載の電子機器が提供される。
【００１２】
請求項７に係る発明によれば、
第三の筐体と、
前記第一の筐体と前記第三の筐体を連結するともに、前記第一の筐体に対して前記第三の筐体を開閉させるとともに前記第三の筐体の表裏を反転させる二軸ヒンジと、
前記第三の筐体の前面に設けられた表示部と、
前記二軸ヒンジによる前記第一の筐体と前記第二の筐体との状態を検出するセンサと、
前記センサの検出結果に基づき前記第二の入力部から入力される信号による制御機能を切り替える機能を有する制御部と、を更に備えることを特徴とする請求項１又は３に記載の電子機器が提供される。
【００１３】
請求項８に係る発明によれば、
前記第一の筐体の前面に設けられた操作部を更に備えることを特徴とする請求項１から７の何れか一項に記載の電子機器が提供される。
【発明の効果】
【００１４】
請求項１に係る発明によれば、第二の筐体のスライドにより第一の筐体に対して第二の筐体を開閉すると、第一の筐体の背面に設けられた第一の入力部が第二の筐体によって隠れたり露出したりする。そのため、第一の入力部が露出した状態では、第二の入力部と同時に第一の入力部を使用することができ、更に、ユーザは自然な指の配置で電子機器を手に持つことができ、その操作が容易である。一方、第一の入力部が隠れた状態では、第一の入力部を保護することができる。また、第二の筐体の前面の面積が限られている場合でも、第一の入力部が第一の筐体の背面に設けられたので、電子機器の外表面のスペースを有効利用することができる。
請求項２に係る発明によれば、第二の筐体のスライドにより第一の筐体に対して第二の筐体を開閉すると、第一の筐体の背面に設けられた第一の入力部が第二の筐体によって隠れたり露出したりする。そのため、第一の入力部が露出した状態では、第一の筐体や第二の筐体を持って表示部を見ながら、第一の筐体の裏側の第一の入力部を操作することができる。そのため、ユーザは自然な指の配置で電子機器を手に持つことができ、その操作が容易である。一方、第一の入力部が隠れた状態では、第一の入力部を保護することができる。また、第二の筐体の前面の面積が限られている場合でも、第一の入力部が第一の筐体の背面に設けられたので、電子機器の外表面のスペースを有効利用することができる。
【発明を実施するための最良の形態】
【００１５】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１６】
図１、図２は、携帯電話機１の斜視図である。
この携帯電話機１においては、操作部筐体２と表示部筐体４が二軸ヒンジ３によって連結されている。なお、操作部筐体２が第一の筐体に相当し、表示部筐体４が第三の筐体に相当する。
【００１７】
操作部筐体２の前面２ａには、テンキー７、ファンクションキー８、上下左右キー９等を有する操作部１０が設けられている。操作部筐体２を前面２ａから見た場合、操作部筐体２が矩形状に形成されており、操作部筐体２の前面２ａ及び背面２ｂ（図３等に図示）に垂直な方向を厚み方向とし、その厚み方向に垂直な方向であってその矩形状の長手方向を縦方向とし、縦方向及び厚み方向に垂直な方向であって矩形状の短手方向を横方向とする。そのため、操作部筐体２のサイズは縦方向、横方向、厚み方向の順に長い。
【００１８】
表示部筐体４の前面には、液晶ディスプレイパネル又は有機ＥＬディスプレイパネル等を有する表示部１１が設けられている。表示部筐体４を前面から見た場合、表示部筐体４が矩形状に形成されている。
【００１９】
操作部筐体２と二軸ヒンジ３とは、操作部筐体２の前面２ａに平行であって操作部筐体２の横方向に平行な軸線５を中心としてその軸線５回りに回動可能となっている。二軸ヒンジ３と表示部筐体４とは、軸線５に直交する軸線６を中心としてその軸線６回りに回動可能となっている。このように二軸ヒンジ３によって操作部筐体２と表示部筐体４が連結されることによって、表示部筐体４の表裏が軸線６回りに反転し、操作部筐体２に対する表示部筐体４が軸線５回りに開閉する。
【００２０】
以下、操作部筐体２に対して表示部筐体４が閉じた状態であって表示部１１が操作部筐体２の反対を向いている状態をビュースタイル状態といい、操作部筐体２に対して表示部筐体４が開いた状態であって表示部１１が軸線５回りの周方向に関して操作部筐体２の前面と向き合う状態をオープン状態という。
【００２１】
操作部筐体２又は表示部筐体４の一方又は両方の内部には表裏センサ３１（図９に図示）が設けられ、表裏センサ３１によって表示部筐体４がオープン状態であることが検出されたり、表示部筐体４がビュースタイル状態であることが検出されたりする。
【００２２】
図１〜図６に示すように、操作部筐体２の背面２ｂがスライド筐体１２の前面１２ａに向き合った状態で操作部筐体２とスライド筐体１２がスライド機構によって連結されている。このスライド筐体１２のサイズは縦方向、横方向、厚み方向の順に長い。なお、スライド筐体１２が第二の筐体に相当する。
【００２３】
スライド機構によってスライド筐体１２が操作部筐体２に対して横方向にスライド可能とされている。具体的には、操作部筐体２の背面２ｂであってその縦方向両端部には、操作部筐体２の横方向に平行な溝状のガイド部１３，１４が設けられ、スライド筐体１２の前面１２ａであってその縦方向両端部に摺動子が設けられ、摺動子がガイド部１３，１４に摺動可能に連結されている。スライド筐体１２のスライド範囲は、前面から見て操作部筐体２の全体がスライド筐体１２の全体に重なった状態（以下、キークローズ状態という。）から、前面から見てスライド筐体１２が部分的に操作部筐体２の左側に重なってスライド筐体１２が部分的に操作部筐体２の外縁から左に外れた状態（以下、キーオープン状態という。）までである。なお、図１〜２はキークローズ状態を示した図面であり、図３〜６はキーオープン状態を示した図面である。
【００２４】
図５〜図６に示すように、スライド筐体１２の前面１２ａには、複数のキーを有するキーボード１９が設けられ、このキーボード１９が第二の入力部に相当する。図７は、キーボード１９のキー配列を示した平面図である。図５〜図７に示すように、キーボード１９は四列分のキー列１５〜１８からなり、各キー列１５〜１８においては複数のキーがスライド筐体１２の縦方向に配列されている。なお、以下では、最も右側のキー列１５を一列目とし、最も左側のキー列１８を４列目として説明する。
【００２５】
スライド筐体１２及び操作部筐体２がキークローズ状態となっている場合には、キーボード１９の全てのキーが操作部筐体２によって覆われる。スライド筐体１２と操作部筐体２をキークローズ状態からキーオープン状態にスライドさせると、４列目のキー列１８、３列目のキー列１７、２列目のキー列１６、１列名のキー列１５の順に露出していく。スライド筐体１２及び操作部筐体２がキーオープン状態となっている場合には、操作部筐体２によるキーボード１９の被覆が外れて、キーボード１９の全てのキーが露出している。以下、図８に示すように、４列目のキー列１８だけが露出した状態をハーフオープン状態という。
【００２６】
スライド筐体１２又は操作部筐体２にはストッパが設けられ、ストッパによってスライド筐体１２及び操作部筐体２がキーオープン状態、ハーフオープン状態、キークローズ状態のそれぞれで止められ、そのように止められた状態が解除可能されている。例えば、ガイド１３に弾性係止片が設けられ、スライド筐体１２及び操作部筐体２がキーオープン状態である場合には、弾性係止片が摺動子に係止するとともにその弾性係止片が弾性変形することでその係止が解除される。ハーフオープン状態、キークローズ状態についても、それぞれに対応する弾性係止片が設けられている。
【００２７】
スライド筐体１２と操作部筐体２の一方又は両方の内部には開閉センサ３２（図９に図示）が設けられ、開閉センサ３２によって、スライド筐体１２及び操作部筐体２がキーオープン状態であることが検出されたり、スライド筐体１２及び操作部筐体２がキークローズ状態であることが検出されたり、スライド筐体１２及び操作部筐体２がハーフオープン状態であることが検出されたりする。
【００２８】
図３〜４に示すように、操作部筐体２の背面２ｂには、第一の入力部である方向入力装置２０が設けられている。この方向入力装置２０はトラックボール式ポインティングデバイスである。なお、方句入力装置２０は、トラックボール式ポインティングデバイスではなく、複数タクトスイッチ式ポインティングデバイス（例えば、十字キー）、スティック式ポインティングデバイス（例えば、ジョイスティック）、光学式ポインティングデバイス、静電容量式ポインティングデバイス（例えば、タッチパッド）、その他のポインティングデバイスであっても良い。
【００２９】
方向入力装置２０が設けられる位置は、縦方向については中央部であり、横方向についてはスライド筐体１２がキークローズ状態へ閉じる向き側、つまり背面から見て左側である。そして、スライド筐体１２及び操作部筐体２がキークローズ状態となっている場合には、方向入力装置２０がスライド筐体１２によって覆われる。一方、スライド筐体１２及び操作部筐体２がキーオープン状態となっている場合には、スライド筐体１２による方向入力装置２０の被覆が外れて、方向入力装置２０が露出している。
【００３０】
図２〜４に示すように、スライド筐体１２の前面１２ａ（図６に図示）であって前から見て右側には、凹部２１が形成されており、スライド筐体１２及び操作部筐体２がキークローズ状態となっている場合に方向入力装置２０が凹部２１に収納される。このような凹部２１が形成されているので、スライド筐体１２がキーオープン状態からキークローズ状態にスライドする時には、方向入力装置２０がスライド筐体１２に当接しない。
【００３１】
図９に示すように、操作部筐体２の内部には、ＣＰＵ、ＲＡＭ、ＲＯＭ、各種ドライバ等を有する制御部３３が搭載されている。方向入力装置２０が操作されると、操作内容に従った操作信号が方向入力装置２０から制御部３３に出力される。また、操作部１０のキーが押下されると、押下されたキーに対応した信号が操作部１０から制御部３３に出力される。また、キーボード１９のキーが押下されると、押下されたキーに従った信号がキーボード１９から制御部３３に出力される。
【００３２】
表裏センサ３１によってオープン状態が検出されたら、その旨の信号が表裏センサ３１から制御部３３に出力され、表裏センサ３１によってビュースタイル状態が検出されたら、その旨の信号が表裏センサ３１から制御部３３に出力される。また、開閉センサ３２によってキーオープン状態が検出されたら、その旨の信号が開閉センサ３２から制御部３３に出力され、開閉センサ３２によってキークローズ状態が検出されたら、その旨の信号が開閉センサ３２から制御部３３に出力され、開閉センサ３２によってハーフオープン状態が検出されたら、その旨の信号が開閉センサ３２から制御部３３に出力される。
【００３３】
制御部３３は、表裏センサ３１や開閉センサ３２の検出結果に基づきキーボード１９から入力される信号による制御機能を切り替える機能を有する。具体的には、制御部３３は、キーボード１９の各キーに対するコード（例えば、文字、記号、図形、ファンクション等）の割り振りを複数種記憶した記憶手段（例えば、ＲＯＭ）と、前記記憶手段に記憶された複数種の割り振りの中から表裏センサ３１や開閉センサ３２の検出結果に基づき１種の割り振りを選択する選択手段（例えば、ＣＰＵ）と、キーボード１９の押下されたキーに従った信号を前記選択手段により選択された割り振りに従ってコード化するコード化手段（例えば、ＣＰＵ）と、に機能する。制御部３３のこれらの手段は、ＲＯＭに記録されたプログラムを制御部３３が実行することによって実現される。
【００３４】
更に具体的には、図７に示すように、各キーの１種類目の割り振りは、キートップの上側に付されたコードであり、２種類目の割り振りは、キートップの下側に付された白抜きのコードであり、３種類目の割り振りは、キートップの下側に付された枠内のコードである。制御部３３はこれら３種類の割り振りをＲＯＭに記憶している。そして、図１０のフローチャートに示すように、表裏センサ３１の検出信号がオープン状態である旨の信号である場合には（ステップＳ１：Ｙｅｓ）、制御部３３が２種類目の割り振りを選択する（ステップＳ２）とともに方向入力装置２０の入力を有効にする。また、表裏センサ３１の検出信号がビュースタイル状態である旨の信号である場合には（ステップＳ３：Ｙｅｓ）、制御部３３が１種類目の割り振りを選択する（ステップＳ４）とともに方向入力装置２０の入力を有効にする。また、表裏センサ３１の検出信号がオープン状態とビュースタイル状態の何れでもない旨の信号である場合であって、開閉センサ３２の検出信号がハーフオープン状態である旨の信号であるときには（ステップＳ５：Ｙｅｓ）、制御部３３が３種類目の割り振りを選択する（ステップＳ６）。
【００３５】
この携帯電話機１の使用方法について説明する。
【００３６】
ユーザは、軸線５回りの回動により操作部筐体２に対して表示部筐体４を閉じたり開いたりする。また、ユーザは、軸線６回りの回動により表示部筐体４を反転させる。このような操作により、表示部筐体４をオープン状態（図４、図６の状態）にしたり、ビュースタイル状態（図５の状態）にしたり、その他の状態（例えば、図１、図２、図８の状態）にしたりすることができる。
【００３７】
また、ユーザは、操作部筐体２に対してスライド筐体１２を左右にスライドする。このような操作により、操作部筐体２及びスライド筐体１２をキーオープン状態（図３〜６の状態）にしたり、ハーフオープン状態（図８の状態）にしたり、キークローズ状態（図１〜２の状態）にしたりすることができる。
【００３８】
表示部筐体４がオープン状態であると、上述したように制御部３３によって２種類目の割り振りが選択される。これによりキーボード１９の各キーは縦置き補助キーとして機能し、ユーザが操作部筐体２及びスライド筐体１２をキーオープン状態にしてキーボード１９の或るキーを押下すると、制御部３３がそのキーに従った信号を２種類目の割り振りに従ってコード化する。これにより、そのコードに従って制御部３３が動作する。
【００３９】
また、表示部筐体４がビュースタイル状態であると、上述したように制御部３３によって１種類目の割り振りが選択される。これによりキーボード１９がフルキーボードとして機能し、ユーザが操作部筐体２及びスライド筐体１２をキーオープン状態にしてキーボード１９の或るキーを押下すると、制御部３３がそのキーに従った信号を１種類目の割り振りに従ってコード化する。これにより、そのコードに従って制御部３３が動作する。
【００４０】
また、表示部筐体４がビュースタイル状態とオープン状態のどちらでもなく、操作部筐体２及びスライド筐体１２がハーフオープン状態であると、上述したように制御部３３によって３種類目の割り振りが選択される。これにより、４列目のキー列１８の各キーがサイドキーとして機能し、ユーザが４列目のキー列１８の中の或るキーを押下すると、制御部３３がそのキーに従った信号を３種類目の割り振りに従ってコード化する。これにより、そのコードに従って制御部３３が動作する。
【００４１】
また、操作部筐体２及びスライド筐体１２がキーオープン状態である場合に、ユーザが指で方向入力装置２０を操作すると、その操作に従った信号が制御部３３に出力され、制御部３３がその信号に従って動作する。例えば、表示部１１に表示されたポインタが画面内を移動する。
【００４２】
本実施形態によれば、スライド筐体１２をキーオープン状態に引き出すと、方向入力装置２０が露出するので、方向入力装置２０をキーボード１９と同時に使用することができる。
【００４３】
特に両手の親指をキーボード１９や操作部１０側に配置し、両手の他の指を背面側に配置して、携帯電話機１を両手で持つと、親指でキーボード１９のキーや操作部１０のキー７，８，９を押下し、他の指で方向入力装置２０を操作することができる。このため、指を自然な位置に配置することができる。
【００４４】
また、携帯電話機１を片手で持てば、携帯電話機１を持った手の指ではキーボード１９、操作部１０及び方向入力装置２０を操作しつつ、携帯電話機１を持っていない手の指ではキーボード１９及び操作部１０を操作することもできる。
【００４５】
また、スライド筐体１２がキーオープン状態であって表示部筐体４がビュースタイル状態である場合には、操作部１０が表示部筐体４によって隠れてしまうが、キーボード１９と方向入力装置２０の両方を用いることで、携帯電話機１を操作することができる。そのため、表示部１１を横方向に長いワイド画面として有効利用することができ、ブラウザ等をワイド画面で使用することができる。
【００４６】
一方、スライド筐体１２をキークローズ状態にすると、方向入力装置２０がスライド筐体１２によって保護されるとともにキーボード１９が操作部筐体２によって保護されるという効果も奏する。
【００４７】
制御部３３の記憶手段や選択手段の機能によって、表示部筐体４やスライド筐体１２の状態に応じてキーボード１９の入力機能が異なるようにすることができる。そのため、携帯電話機１の状態・形態によらず、キーボード１９を有効に使用することができるという効果を奏する。
【００４８】
なお、本発明は上記実施形態に限定されるものではなく、上記実施形態に対して種々の設計変更を行ったものも本発明の範囲に含まれる。以下、変形例を挙げるが、本発明の範囲は以下の変形例に限るものではない。以下の変形例に挙げられる電子機器は、変更した部分を除いて、上記実施形態における携帯電話機１と同様に設けられている。
【００４９】
〔変形例１〕
図１１に示すように、キーボード１９の代わりに、表示と入力を行うタッチパネル５０がスライド筐体１２の前面１２ａに設けられてもよい。タッチパネル５０は、表示部（例えば、液晶ディスプレイパネル、ＥＬディスプレイパネル等）と、その表示部の表面に貼着された透明なタッチセンサ（例えば、マトリックススイッチ）と、を備えたものである。この場合、タッチパネル５０のタッチセンサが第一の入力部に相当する。なお、表示部と入力部を兼ねたタッチパネル５０の代わりに、接触により入力を行うタッチパッドとしてもよい。
【００５０】
〔変形例２〕
図１２に示すように、操作部１０の代わりに、表示と入力を行うタッチパネル６０が操作部筐体２の前面２ａに設けられても良い。このタッチパネル６０は、表示部と、その表示部の表面に貼着された透明なタッチセンサと、を備えたものである。この場合、タッチパネル６０のタッチセンサが操作部に相当する。方向入力装置２０が露出した状態では、タッチパネル６０及びキーボード１９と同時に方向入力装置２０を使用することができる。なお、表示部と入力部を兼ねたタッチパネル６０の代わりに、接触により入力を行うタッチパッドとしてもよいし、表示を行う表示部としても良い。
【００５１】
〔変形例３〕
上記実施形態では操作部筐体２に表示部筐体４が連結されているが、表示部筐体４が連結されていなくてもよい。つまり、図１３に示すように、表示部筐体４及び二軸ヒンジ３が無くともよい。この場合、操作部筐体２の前面２ａには操作部１０が設けられる代わりに、図１３に示すように、表示と入力を行うタッチパネル７０が操作部筐体２の前面２ａに設けられている。このタッチパネル７０は、表示部と、その表示部の表面に貼着された透明なタッチセンサと、を備えたものである。この場合、タッチパネル７０のタッチセンサが操作部に相当する。なお、タッチパネル７０ではなく、液晶ディスプレイパネル、ＥＬディスプレイパネルといった表示部が操作部筐体２の前面に設けられていてもよい。
【００５２】
〔変形例４〕
上記実施形態では、４列目のキー列１８だけが露出した状態をハーフオープン状態としたが、３列目及び４列目のキー列１７，１８だけが露出した状態をハーフオープン状態としてもよいし、２〜４列目のキー列１６〜１８だけが露出した状態をハーフオープン状態としてもよい。
【００５３】
〔変形例５〕
上記実施形態ではスライド筐体１２が横方向にスライドするものとしたが、スライド筐体１２が縦方向にスライドするものとしても良い。例えば、図１に示された矢印Ａの向きにスライド筐体１２がスライドすると、スライド筐体１２が操作部筐体２に対して開き、図１に示された矢印Ｂの向きにスライド筐体１２が操作部筐体２に対して閉じる。この場合、スライド筐体１２のスライド範囲は、前面から見て操作部筐体２の外縁とスライド筐体１２の外縁とが重なった状態から、前面から見てスライド筐体１２の上側（矢印Ｂの向き側）の部分が操作部筐体２に重なってスライド筐体１２の下側（矢印Ａの向き側）の部分が操作部筐体２の外縁から下に外れた状態までである。この場合、方向入力装置２０が設けられる位置は、操作部筐体２の背面であって操作部筐体２の上部である。そのため、スライド筐体１２が矢印Ａの向きにスライドすると、方向入力装置２０が露出し、スライド筐体１２が矢印Ｂの向きにスライドすると、方向入力装置２０がスライド筐体１２によって隠れる。
【００５４】
〔変形例６〕
上記実施形態では二軸ヒンジ３によって操作部筐体２と表示部筐体４が連結されているが、二軸ヒンジ３の代わりに一軸ヒンジによって操作部筐体２と表示部筐体４が連結されても良い。この場合、一軸ヒンジの軸線は図１に示された軸線５となる。更に、一軸ヒンジである場合、軸線５が操作部筐体２の縦方向に平行になるように変更しても良い。軸線５が操作部筐体２の縦方向に平行である場合には、操作部筐体２は図１の紙面奥側の長辺において一軸ヒンジに連結し、一軸ヒンジが表示部筐体４の長辺に連結する。
【００５５】
〔変形例７〕
上記実施形態では二軸ヒンジ３の軸線５が操作部筐体２の横方向に平行であったが、縦方向に平行であっても良い。この場合、二軸ヒンジ３が操作部筐体２の短辺側で操作部筐体２に連結するのではなく、長辺側（図１の紙面奥側）で操作部筐体２に連結し、更に二軸ヒンジ３が表示部筐体４の短辺側で表示部筐体４に連結するのではなく、表示部筐体４の長辺側で表示部筐体４に連結する。
【００５６】
〔変形例８〕
上記実施形態では、携帯電子機器として携帯電話機１を例に挙げて説明したが、パーソナルコンピュータ、デジタルカメラ、ＰＤＡ（Personal Digital Assistance）、電子手帳、携帯無線機、その他の携帯電子機器に本発明を適用してもよい。
【００５７】
〔変形例９〕
上記実施形態では、第一の入力部が方向入力装置２０であるが、制御部３３に入力を行うものであれば方向入力装置２０に限定するものではない。例えば、方向入力装置２０の代わりに一又は複数の入力キー、押釦、タクトスイッチ又はドームスイッチを操作部筐体２の背面２ｂに設けてもよい。また、操作部筐体２の背面２ｂであって方向入力装置２０の周囲に入力キー、押釦、タクトスイッチ又はドームスイッチを設けてもよい。操作部筐体２の背面に設けられた入力キー、押釦、タクトスイッチ又はドームスイッチに対するコードの割り振りは特に限定するものではない。
【００５８】
〔変形例１０〕
上記実施形態では、スライド筐体１２が直線状にスライドするものとしたが、曲線状にスライドするものとしてもよい。例えば、操作部筐体２の背面２ｂに垂直な枢軸を操作部筐体２の背面２ｂに設け、その枢軸をスライド筐体１２の前面１２ａに連結すれば、スライド筐体１２がその枢軸を中心にして操作部筐体２に対して回動し、これによりスライド筐体１２が曲線状にスライドする。
【図面の簡単な説明】
【００５９】
【図１】図１は、本発明の実施形態における携帯電子機器を示した斜視図である。
【図２】図２は、図１とは異なる方向に見て携帯電子機器を示した斜視図である。
【図３】図３は、図１とは異なる方向に見て携帯電子機器を示した斜視図である。
【図４】図４は、図１とは異なる方向に見て携帯電子機器を示した斜視図である。
【図５】図５は、図１とは異なる方向に見て携帯電子機器を示した斜視図である。
【図６】図６は、図１とは異なる方向に見て携帯電子機器を示した斜視図である。
【図７】図７は、上記携帯電子機器に設けられたキーボードのキー配列を示した図面である。
【図８】図８は、図１とは異なる方向に見て携帯電子機器を示した斜視図である。
【図９】図９は、上記携帯電子機器の概略構成を示したブロック図である。
【図１０】図１０は、上記携帯電子機器の制御部によって行われる処理の流れを示したフローチャートである。
【図１１】図１１は、変形例における携帯電子機器を示した斜視図である。
【図１２】図１２は、別の変形例における携帯電子機器を示した斜視図である。
【図１３】図１３は、別の変形例における携帯電子機器を示した斜視図である。
【符号の説明】
【００６０】
１  携帯電子機器      
２  操作部筐体      
３  二軸ヒンジ      
４  表示部筐体      
１０  操作部      
１１  表示部      
１２  スライド筐体      
１９  キーボード      
２０  方向入力装置      
３１  表裏センサ      
３２  開閉センサ      
３３  制御部      
５０、６０、７０  タッチパネル
【図１】
2008269061.tif 000003
【図２】
2008269061.tif 000004
【図３】
2008269061.tif 000005
【図４】
2008269061.tif 000006
【図５】
2008269061.tif 000007
【図６】
2008269061.tif 000008
【図７】
2008269061.tif 000009
【図８】
2008269061.tif 000010
【図９】
2008269061.tif 000011
【図１０】
2008269061.tif 000012
【図１１】
2008269061.tif 000013
【図１２】
2008269061.tif 000014
【図１３】
2008269061.tif 000015
【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
第一の筐体と、
その前面が前記第一の筐体の背面に相対する状態で前記第一の筐体に連結され、前記第一の筐体の背面に平行な方向に前記第一の筐体に対してスライドする第二の筐体と、
前記第一の筐体の背面に設けられた第一の入力部と、
前記第二の筐体の前面に設けられた第二の入力部と、を備え、
前記第二の筐体は、前記第一の入力部が前記第二の筐体によって被覆されるとともに前記第二の入力部が前記第一の筐体によって被覆された状態と、前記第二の筐体による前記第一の入力部の被覆が外れるとともに前記第一の筐体による前記第二の入力部の被覆が外れた状態との間で、前記第一の筐体に対してスライドすることを特徴とする電子機器。
【請求項２】
第一の筐体と、
その前面が前記第一の筐体の背面に相対する状態で前記第一の筐体に連結され、前記第一の筐体の背面に平行な方向に前記第一の筐体に対してスライドする第二の筐体と、
前記第一の筐体の前面に設けられた表示部と、
前記第一の筐体の背面に設けられた第一の入力部と、を備え、
前記第二の筐体は、前記第一の入力部が前記第二の筐体によって被覆された状態と、前記第二の筐体による前記第一の入力部の被覆が外れた状態との間で、前記第一の筐体に対してスライドすることを特徴とする電子機器。
【請求項３】
前記第二の筐体の前面に設けられた第二の入力部を更に備え、
前記第二の筐体は、前記第一の入力部が前記第二の筐体によって被覆されるとともに前記第二の入力部が前記第一の筐体によって被覆された状態と、前記第二の筐体による前記第一の入力部の被覆が外れるとともに前記第一の筐体による前記第二の入力部の被覆が外れた状態との間で、前記第一の筐体に対してスライドすることを特徴とする請求項２に記載の電子機器。
【請求項４】
前記第二の筐体のスライド範囲は、前記第一の筐体の全体が前記第二の筐体に重なった状態から前記第一の筐体が部分的に前記第二の筐体に重なった状態までとされ、
前記第一の入力部は、前記第一の筐体の背面のうち、前記第一の筐体が部分的に前記第二の筐体に重なった状態で露出した部分に設けられていることを特徴とする請求項１から３の何れか一項に記載の電子機器。
【請求項５】
前記第一の筐体の背面に平行な縦方向の前記第一の筐体の長さがその背面に平行な方向であって縦方向に垂直な横方向の前記第一の筐体の長さよりも長く、前記第二の筐体が横方向にスライドすることを特徴とする請求項１から４の何れか一項に記載の電子機器。
【請求項６】
前記第一の筐体の背面に平行な縦方向の前記第一の筐体の長さがその背面に平行な方向であって縦方向に垂直な横方向の前記第一の筐体の長さよりも長く、前記第二の筐体が縦方向にスライドすることを特徴とする請求項１から４の何れか一項に記載の電子機器。
【請求項７】
第三の筐体と、
前記第一の筐体と前記第三の筐体を連結するともに、前記第一の筐体に対して前記第三の筐体を開閉させるとともに前記第三の筐体の表裏を反転させる二軸ヒンジと、
前記第三の筐体の前面に設けられた表示部と、を更に備えることを特徴とする請求項１から６の何れか一項に記載の電子機器。
【請求項８】
第三の筐体と、
前記第一の筐体と前記第三の筐体を連結するともに、前記第一の筐体に対して前記第三の筐体を開閉させるとともに前記第三の筐体の表裏を反転させる二軸ヒンジと、
前記第三の筐体の前面に設けられた表示部と、
前記二軸ヒンジによる前記第一の筐体と前記第二の筐体との状態を検出するセンサと、
前記センサの検出結果に基づき前記第二の入力部から入力される信号による制御機能を切り替える機能を有する制御部と、を更に備えることを特徴とする請求項１又は３に記載
の電子機器。
【請求項９】
前記第二の筐体の、前記第一の筐体に対するスライドの状態を検出するセンサと、
前記センサの検出結果に基づき前記第二の入力部から入力される信号による制御機能を切り替える機能を有する制御部と、を更に備えることを特徴とする請求項１又は３に記載の電子機器。
【請求項１０】
前記第一の筐体の前面に設けられた操作部を更に備えることを特徴とする請求項１から９の何れか一項に記載の電子機器。
【請求項１１】
前記第二の入力部は、複数のキーを有するキーボードであり、
前記制御手段は、
前記キーボードの各キーに対するコードの割り振りを複数種記憶した記憶手段と、
前記記憶手段に記憶された複数種の割り振りの中から前記センサの検出結果に基づき１種の割り振りを選択する選択手段と、
前記キーボードの押下されたキーに従った信号を前記選択手段により選択された割り振りに従ってコード化するコード化手段と、を有することを特徴とする請求項８記載の電子機器。
【請求項１２】
前記第二の入力部は、複数のキーを有するキーボードであり、
前記制御手段は、
前記キーボードの各キーに対するコードの割り振りを複数種記憶した記憶手段と、
前記記憶手段に記憶された複数種の割り振りの中から前記センサの検出結果に基づき１種の割り振りを選択する選択手段と、
前記キーボードの押下されたキーに従った信号を前記選択手段により選択された割り振りに従ってコード化するコード化手段と、を有することを特徴とする請求項９記載の電子機器。
【手続補正２】
【補正対象書類名】明細書
【補正対象項目名】００１１
【補正方法】変更
【補正の内容】
【００１１】
請求項６に係る発明によれば、
前記第一の筐体の背面に平行な縦方向の前記第一の筐体の長さがその背面に平行な方向であって縦方向に垂直な横方向の前記第一の筐体の長さよりも長く、前記第二の筐体が縦方向にスライドすることを特徴とする請求項１から４の何れか一項に記載の電子機器が提供される。 
【手続補正３】
【補正対象書類名】明細書
【補正対象項目名】００１２
【補正方法】変更
【補正の内容】
【００１２】
請求項７に係る発明によれば、
第三の筐体と、
前記第一の筐体と前記第三の筐体を連結するともに、前記第一の筐体に対して前記第三
の筐体を開閉させるとともに前記第三の筐体の表裏を反転させる二軸ヒンジと、
前記第三の筐体の前面に設けられた表示部と、を更に備えることを特徴とする請求項１
から６の何れか一項に記載の電子機器が提供される。 
【手続補正４】
【補正対象書類名】明細書
【補正対象項目名】００１３
【補正方法】変更
【補正の内容】
【００１３】
請求項８に係る発明によれば、
第三の筐体と、
前記第一の筐体と前記第三の筐体を連結するともに、前記第一の筐体に対して前記第三
の筐体を開閉させるとともに前記第三の筐体の表裏を反転させる二軸ヒンジと、
前記第三の筐体の前面に設けられた表示部と、
前記二軸ヒンジによる前記第一の筐体と前記第二の筐体との状態を検出するセンサと、
前記センサの検出結果に基づき前記第二の入力部から入力される信号による制御機能を
切り替える機能を有する制御部と、を更に備えることを特徴とする請求項１又は３に記載
の電子機器が提供される。
請求項９に係る発明によれば、
前記第二の筐体の、前記第一の筐体に対するスライドの状態を検出するセンサと、
前記センサの検出結果に基づき前記第二の入力部から入力される信号による制御機能を切り替える機能を有する制御部と、を更に備えることを特徴とする請求項１又は３に記載の電子機器が提供される。
請求項１０に係る発明によれば、
前記第一の筐体の前面に設けられた操作部を更に備えることを特徴とする請求項１から
９の何れか一項に記載の電子機器が提供される。
請求項１１に係る発明によれば、
前記第二の入力部は、複数のキーを有するキーボードであり、
前記制御手段は、
前記キーボードの各キーに対するコードの割り振りを複数種記憶した記憶手段と、
前記記憶手段に記憶された複数種の割り振りの中から前記センサの検出結果に基づき１種の割り振りを選択する選択手段と、
前記キーボードの押下されたキーに従った信号を前記選択手段により選択された割り振りに従ってコード化するコード化手段と、を有することを特徴とする請求項８記載の電子機器が提供される。
請求項１２に係る発明によれば、
前記第二の入力部は、複数のキーを有するキーボードであり、
前記制御手段は、
前記キーボードの各キーに対するコードの割り振りを複数種記憶した記憶手段と、
前記記憶手段に記憶された複数種の割り振りの中から前記センサの検出結果に基づき１種の割り振りを選択する選択手段と、
前記キーボードの押下されたキーに従った信号を前記選択手段により選択された割り振りに従ってコード化するコード化手段と、を有することを特徴とする請求項９記載の電子機器が提供される。